(57)【要約】【課題】外筐を構成するキャビネットに一体にスピーカボックスを形成した場合におけるキャビネットの外表面のひけの発生を防止し、また体裁面を構成する外側キャビネットよりも安価であって、しかも音質的に有利な硬度の材料、あるいは耐熱性の材料によってスピーカボックスを形成するようにする。【解決手段】外筐から成るキャビネットを、フロントキャビネット２０と上側キャビネット２１と、下側キャビネット２２の３つの部品から構成し、フロントキャビネット２０の左右の円形の開口２５、２６にそれぞれスピーカ２７、２８を取付けるとともに、左右のスピーカ２７、２８の背面側の部分を覆うように、フロントキャビネット２０の円形の開口２５、２６の内側に、キャビネット２０、２１、２２とは独立に成形されたカップ型のスピーカボックス３１、３２を取付けるようにする。【選択図】図６
2008177647.tif 000002
【特許請求の範囲】
【請求項１】
キャビネット内にスピーカを配するようにした音響機器において、
前記キャビネットが合成樹脂の成形体から構成され、
スピーカが前記キャビネットから独立したスピーカボックスを備え、前記キャビネット内に収納されることを特徴とする音響機器。
【請求項２】
フロントキャビネットの左右の開口部に臨んで左右のスピーカがそれぞれ取付けられるとともに、前記スピーカの背面側を覆うようにフロントキャビネットの内側に左右のスピーカボックスがそれぞれ取付けられることを特徴とする請求項１に記載の音響機器。
【請求項３】
前記フロントキャビネットの左右の領域が前記スピーカボックスのバッフル板を構成し、該バッフル板を構成する領域にそれぞれ左右のスピーカボックス内に延出されるダクトが設けられることを特徴とする請求項２に記載の音響機器。
【請求項４】
前記左右のスピーカボックス内に前記ダクトの先端部を受入れる外筒が設けられ、前記外筒と前記ダクトとによって折返し型のダクトが構成されることを特徴とする請求項３に記載の音響機器。
【請求項５】
前記スピーカボックスがシャーシを兼用し、内部に部品を収納して保持していることを特徴とする請求項１に記載の音響機器。
【請求項６】
前記スピーカボックス内に収納される部品がトランスであることを特徴とする請求項５に記載の音響機器。
【請求項７】
前記スピーカボックス内に収納される部品が回路基板であることを特徴とする請求項５に記載の音響機器。
【請求項８】
外筐内にスピーカを配するようにした音響機器において、
前記外筐が、フロントキャビネットと、該フロントキャビネットの背面側であって上側に取付けられる上側キャビネットと、前記フロントキャビネットの背面側であって下側に取付けられる下側キャビネットとから構成され、しかも前記フロントキャビネット、前記上側キャビネット、および前記下側キャビネットがそれぞれ合成樹脂成形体から構成され、
前記スピーカが前記外筐から独立したスピーカボックスを備え、前記フロントキャビネットと前記上側キャビネットと前記下側キャビネットとを組合せた前記外筐内に収納されることを特徴とする音響機器。
【請求項９】
前記フロントキャビネットの左右のスピーカを収納するスピーカボックスの前面側の部分がバッフル板を構成し、該バッフル板を構成する領域にスピーカボックス内に延出されるダクトが設けられることを特徴とする請求項８に記載の音響機器。
【請求項１０】
フロントキャビネットの左右の開口部に臨んで左右のスピーカがそれぞれ取付けられるとともに、前記スピーカの背面側を覆うように前記フロントキャビネットの内側に左右のスピーカボックスがそれぞれ取付けられることを特徴とする請求項８に記載の音響機器。
【請求項１１】
前記フロントキャビネットの背面側のほぼ中央部であって前記上側キャビネットと下側キャビネットの内側にシャーシが配され、該シャーシの両側に左右のスピーカボックスが配されることを特徴とする請求項８に記載の音響機器。
【請求項１２】
前記上側キャビネットまたは下側キャビネット上であって前記スピーカボックスの外側に位置して操作釦が配されることを特徴とする請求項８に記載の音響機器。
【発明の詳細な説明】
【技術分野】
【０００１】
本発明は音響機器に係り、とくに外筐を構成するキャビネット内にスピーカを配するようにした音響機器に関する。
【背景技術】
【０００２】
例えば特開２００２−３００６８２号公報には、木製キャビネット内に複数の電子部品を設けた電子機器であって、複数の電子部品がサブキャビネットを介して木製キャビネットに取付けられている電子機器とし、これにより、製造や修理の際、電子部品を木屑が発生しないサブキャビネットに取り付ければよいので、木屑が付着しないように細心の注意を払わなくてもよく、製造や修理の際の作業が容易で、作業性が良く、木製キャビネットを用いたため、音質を向上させることができると共に、木材による暖かみ感や木目等による美観を向上させるようにした電子機器が開示されている。このような電子機器において、とくに左右のスピーカにそれぞれ独立に木製のスピーカボックスをフロントキャビネット内に配するようにしている。
【０００３】
このような電子機器は、キャビネットやスピーカボックスをそれぞれ木製としているために、部品点数が増大し、重量が大きくなり、さらにコストが高くなる欠点がある。
【０００４】
そこで左右のスピーカにそれぞれスピーカボックスを設けるようにした音響機器として、例えば図１に示す構成が提案されている。このような構成は、左右のスピーカ１、２を備えるいわゆるラジカセと称される音響機器であって、外筐あるいはキャビネットが上側のキャビネット３と下側のキャビネット４との接合構造から構成される。そして上側のキャビネット３には下方に延出されるように一対の隔壁５が形成される。これに対して下側のキャビネット４には、上方に延びるように左右の隔壁６が形成されている。上下のキャビネット３、４を互いに接合すると、隔壁５、６の先端部が互いに接合され、これによって左右のスピーカボックス７、８がそれぞれ画成されるようになる。従ってスピーカ１、２はそれぞれ左右のスピーカボックス７、８によってその背面側の部分が覆われることになる。
【０００５】
従来のこのような合成樹脂製のキャビネットから成る音響機器においては、外部から見えない位置で上下の隔壁５、６の先端部を互いに合わせなければならず、成形のばらつき等によってスピーカボックス７、８を確実に密閉することが難しく、また量産ではその確認が不可能である。また上下のキャビネット３、４の内側にそれぞれ隔壁５、６を立設しなければならず、このような隔壁５、６を形成すると、外表面に図２に示すようなひけ９を生じ、このようなひけ９によってキャビネットの外観を損なう問題があった。
【０００６】
このようなひけ９を防止するために、キャビネット３、４に形成される隔壁５、６の肉厚を図２Ｂに示すように薄くし、ひけ９が目立たなくなるようにすることも可能だが、隔壁５、６の肉厚を薄くすると、スピーカボックス７、８の肉厚が小さくなることになり、これによってスピーカボックス７、８の音響効果が低減し、あるいはまた隔壁５、６の部分で振動を生ずる可能性がある。そこで図３に示すように、上記ひけ９を発生する部分に、予め条溝１０を形成しておく対策を採ることが考えられる。このような条溝１０は、いわゆる肉盗みと言われるものであるが、このような条溝１０を形成すると、意味のない模様を生ずるようになり、デザイン的にデメリットを生ずる。
【０００７】
またこのような隔壁５、６によって上下のキャビネット３、４に一体にスピーカボックス７、８を形成した構造によると、例えば図１に示すように、スピーカボックス７、８の部分に操作釦１３を取付けると、音質が劣化する。操作釦１３を貫通孔１４を挿通させ、上側のキャビネット３の内側に保持されている回路基板１５上のスイッチ１６を操作するようにすると、スピーカボックス７、８がそれぞれ操作釦１３が挿通される貫通孔１４によって音漏れを生じ、これによってスピーカボックス７、８の密閉性が損なわれることになる。
【特許文献１】特開２００２−３００６８２号公報
【特許文献２】実開平７−１１０８４号公報
【発明の開示】
【発明が解決しようとする課題】
【０００８】
本願発明の課題は、外筐あるいはキャビネットを合成樹脂成形体によって形成するとともに、それぞれのスピーカにスピーカボックスを設けても、合成樹脂製の外筐あるいはキャビネットの外表面にひけを発生することがなく、これによってデザイン的にデメリットを生じないようにした音響機器を提供することである。
【０００９】
本願発明の別の課題は、キャビネットとは異なる材料によってスピーカボックスを形成するようにし、これによって外表面を構成するキャビネットよりも安価な材料であって、音質的に有利な硬度の高い材料から成るスピーカボックスを備える音響機器を提供することである。
【００１０】
本願発明のさらに別の課題は、他部品の取付け等のシャーシ的な機能をも兼用するようにしたスピーカボックスを備える音響機器を提供することである。
【００１１】
本願発明のさらに別の課題は、スピーカボックスと対応する位置においてキャビネットの外表面上に操作釦を取付けても、なおかつ音響効果が低減しないようにした音響機器を提供することである。
【００１２】
本願発明の上記の課題および別の課題は、以下に述べる本願発明の技術的思想およびその実施の形態によって明らかにされる。
【課題を解決するための手段】
【００１３】
本願の主要な発明は、キャビネット内にスピーカを配するようにした音響機器において、
前記キャビネットが合成樹脂の成形体から構成され、
スピーカが前記キャビネットから独立したスピーカボックスを備え、前記キャビネット内に収納されることを特徴とする音響機器に関するものである。
【００１４】
ここで、フロントキャビネットの左右の開口部に臨んで左右のスピーカがそれぞれ取付けられるとともに、前記スピーカの背面側を覆うようにフロントキャビネットの内側に左右のスピーカボックスがそれぞれ取付けられてよい。また前記フロントキャビネットの左右の領域が前記スピーカボックスのバッフル板を構成し、該バッフル板を構成する領域にそれぞれ左右のスピーカボックス内に延出されるダクトが設けられてよい。また前記左右のスピーカボックス内に前記ダクトの先端部を受入れる外筒が設けられ、前記外筒と前記ダクトとによって折返し型のダクトが構成されてよい。また前記スピーカボックスがシャーシを兼用し、内部に部品を収納して保持してよい。また前記スピーカボックス内に収納される部品がトランスであってよい。また前記スピーカボックス内に収納される部品が回路基板であってよい。
【００１５】
本願の別の主要な発明は、外筐内にスピーカを配するようにした音響機器において、
前記外筐が、フロントキャビネットと、該フロントキャビネットの背面側であって上側に取付けられる上側キャビネットと、前記フロントキャビネットの背面側であって下側に取付けられる下側キャビネットとから構成され、しかも前記フロントキャビネット、前記上側キャビネット、および前記下側キャビネットがそれぞれ合成樹脂成形体から構成され、
前記スピーカが前記外筐から独立したスピーカボックスを備え、前記フロントキャビネットと前記上側キャビネットと前記下側キャビネットとを組合せた前記外筐内に収納されることを特徴とする音響機器に関するものである。
【００１６】
ここで、前記フロントキャビネットの左右のスピーカを収納するスピーカボックスの前面側の部分がバッフル板を構成し、該バッフル板を構成する領域にスピーカボックス内に延出されるダクトが設けられてよい。またフロントキャビネットの左右の開口部に臨んで左右のスピーカがそれぞれ取付けられるとともに、前記スピーカの背面側を覆うように前記フロントキャビネットの内側に左右のスピーカボックスがそれぞれ取付けられてよい。また前記フロントキャビネットの背面側のほぼ中央部であって前記上側キャビネットと下側キャビネットの内側にシャーシが配され、該シャーシの両側に左右のスピーカボックスが配されてよい。また前記上側キャビネットまたは下側キャビネット上であって前記スピーカボックスの外側に位置して操作釦が配されてよい。
【００１７】
従来、上側のキャビネットと下側のキャビネットとによって背面側のキャビネットを構成したラジカセ等の音響機器において、スピーカボックスはそれぞれのキャビネットで構成される隔壁を中間あるいは上側のキャビネットあるいは下側のキャビネットの裏面まで延ばした位置で合わせてセンタブロックとの仕切りとして成立していた。これに対して本願発明は、それぞれのスピーカの背面側を覆うスピーカボックスをキャビネットとは独立した別の部品とすることによって、キャビネットの体裁に影響する心配なく、確実な密閉を確認しながらしかも組込みができるようにしたものである。
【００１８】
このような構成によると、上下のキャビネットから分離独立されたスピーカボックスとなるために、成形時におけるひけの問題を気にすることなく、スピーカボックスに対して十分な厚みを持たせることができる。またスピーカボックスに補強用のリブを追加し、これによってスピーカボックスの強度を上げることも可能になる。またスピーカボックスにキャビネットに用いられる合成樹脂材料とは別の合成樹脂材料を選択できるために、スピーカボックスに、外表面を構成するキャビネットよりも安価な材料であって、しかも音質に有利な硬度の高い材料や、耐熱性を有する材料を選択できるようになる。また折返し型のダクトを構成する場合において、上側のキャビネットあるいは下側のキャビネットの内側に折返しの外筒部分を成形するよりも、スピーカボックス側に折返し部分の外筒を設けことによって、ダクトの自由度が増大することになる。
【００１９】
またスピーカを左右のスピーカと低音域を担うウーハの３ドライブ方式とする場合に、外筐内部における中間部分の容積を確保し易くなる。またスピーカボックスに、他の部品の取付けや、線材を整理するための部材の取付け等、シャーシ的な機能を付加することができる。まキャビネットのセンタブロックに熱源を配置した場合に、放熱穴の範囲を設定する際に、キャビネットの自由度が増大する。またスピーカボックスの周囲において、キャビネットに自由に穴が開けられるために、キャビネットあるいはフロントパネル上における操作釦の配置の自由度が増大する。またキャビネットやフロントパネル上における電池ボックスの配置の自由度も増大することになる。
【発明の効果】
【００２０】
本願の主要な発明は、キャビネット内にスピーカを配するようにした音響機器において、キャビネットが合成樹脂の成形体から構成され、スピーカがキャビネットから独立したスピーカボックスを備え、キャビネット内に収納されるようにしたものである。
【００２１】
従ってこのような音響機器によると、スピーカはキャビネットから独立したスピーカボックスによってその背面側の部分が覆われるようになる。そしてスピーカボックスがキャビネットとは独立しているために、成形時にキャビネットの外表面上にひけを生ずることがなく、あるいはまたキャビネットとは異なる材料を選択でき、スピーカボックスにキャビネットよりも安価であってしかも音質的に有利な硬度の高い材料や耐熱性の材料を選択して成形することが可能になる。
【００２２】
本願の別の主要な発明は、外筐内にスピーカを配するようにした音響機器において、外筐が、フロントキャビネットと、該フロントキャビネットの背面側であって上側に取付けられる上側キャビネットと、フロントキャビネットの背面側であって下側に取付けられる下側キャビネットとから構成され、しかもフロントキャビネット、上側キャビネット、および下側キャビネットがそれぞれ合成樹脂成形体から構成され、スピーカが外筐から独立したスピーカボックスを備え、フロントキャビネットと上側キャビネットと下側キャビネットとを組合せた外筐内に収納されるようにしたものである。
【００２３】
従ってこのような音響機器によると、フロントキャビネットと上下のキャビネットとから成る外筐内に配されかつ外筐とは独立したスピーカボックスによってスピーカの背面部分が覆われることになる。よって上下のキャビネットあるいはフロントキャビネットがスピーカボックスによって成形時にひけを生ずることがなく、また外筐とは別の合成樹脂材料によってスピーカボックスを成形することが可能になるために、体裁を構成する外筐よりも安価であって、しかも音質的に有利な硬度の高い材料によってスピーカボックスを成形することが可能になる。
【発明を実施するための最良の形態】
【００２４】
以下本願発明を図示の実施の形態によって説明する。図４〜６は本発明の一実施の形態に係るラジオ付きカセットテープレコーダ、いわゆるラジカセから成る音響機器を示しており、とくにその外筐あるいはキャビネットの構造を示している。この音響機器は、その外筐がフロントキャビネット２０と、上側キャビネット２１と、下側キャビネット２２とから構成される。なおこれらのキャビネット２０、２１、２２は、何れも、例えばポリスチレンのような難燃性の樹脂から構成される。そしてフロントキャビネット２０には、その左右の部分にそれぞれ円形の開口２５、２６が形成され、これらの開口２５、２６に振動板が臨むように、その内側にスピーカ２７、２８が取付けられるようになっている。
【００２５】
上記フロントキャビネット２０の左右の円形の開口２５、２６にそれぞれ取付けられるスピーカ２７、２８は、上記フロントキャビネット２０の円形の開口２５、２６の背面側に位置するように、カップ状の形態のスピーカボックス３１、３２を備えている。このようなスピーカボックス３１、３２は、外筐を構成する上記キャビネット２０、２１、２２とは全く独立の成形体から構成されており、上記キャビネット２０、２１、２２よりも安価であって、音質的に有利な硬度の高い樹脂材料、あるいは耐熱性の高い樹脂材料から構成される。そしてこのようなスピーカボックス３１、３２内には、上記フロントキャビネット２０の円形の開口２５の周縁部に一体に連設されるダクト３３が内側へ延びるように形成される。
【００２６】
上記フロントキャビネット２０の左右の円形の開口２５、２６の中間位置であって中間部分には、ほぼ矩形の開口部３４が形成される。そしてこの矩形の開口部３４を覆うようにフロントパネル３５が装着される。そしてフロントパネル３５の内側にはモールドシャーシ３６が配置される。モールドシャーシ３６上には回路基板３７が搭載されるとともに、この回路基板３７の下側であってモールドシャーシ３６の内側には、ディスクプレーヤ３８が収納保持されるようになっている。なおディスクプレーヤ３８は、ＣＤプレーヤ、あるいはＤＶＤプレーヤから構成される。なおディスクプレーヤ３８とともに、あるいはディスクプレーヤ３８に代えて、テーププレーヤを装備してもよい。
【００２７】
一般にいわゆるラジカセと称される音響機器の場合には、その筐体がフロントキャビネットとリヤキャビネットの２つの部材から構成されるのがほとんどであるが、本実施の形態においては、フロントキャビネット２０に対して、リヤキャビネットが上下に分割された上側キャビネット２１と下側キャビネット２２とから構成され、これら３つのキャビネットを合わせる形態になっている。なおフロントキャビネット２０の前面側には、上記円形の開口２５、２６に装着されるスピーカ２７、２８の振動板の部分を保護するようにスピーカネットが取付けられるが、このようなスピーカネットについては、その図示を省略している。
【００２８】
図６に示すように、フロントキャビネット２０の裏側には、左右のスピーカ２７、２８が取付けられる。ここで本実施の形態の場合には、スピーカ２７、２８を収納するスピーカボックス３１、３２がバスレス型の構造を採用しており、フロントキャビネット２０に一体に連設されたダクト３３がスピーカボックス３１、３２内に延出するように取付けられている。そしてこのような状態で、カップ型のスピーカボックス３１、３２がスピーカ２７、２８を覆うようにフロントキャビネット２０の背面側にビスで固定される。なおスピーカボックス３１、３２のフロントキャビネット２０に対する固定の工程は、その接合部の部分を目視しながら確実な作業を行なうことができるために、スピーカボックス３１、３２のフロントキャビネット２０に対する接合部の密閉構造が確実に達成される。
【００２９】
上記スピーカボックス３１、３２は、とくに図５に示すように、シャーシの機能をも備えており、例えば左側のスピーカボックス３１内にはトランス４１が収納固定されている。これに対して右側のスピーカボックス３２内には、例えばチューナ基板から成る回路基板４２が収納固定されている。なお通常の従来のラジカセで用いられるレイアウトの場合には、これらの部品をキャビネットの内側に配するようにすると、それぞれの取付け部分の構造体を成形によって形成するために、外観にひけを生ずるが、本実施の形態の場合には、スピーカボックス２１、２２が外筐あるいはキャビネットから独立しているために、このようなひけを心配することがなくなる。
【００３０】
また本実施の形態のスピーカボックスにおいては、キャビネット２０、２１、２２から独立して、その内側に密閉空間から成るスピーカボックス３１、３２を取付けるようにしているために、スピーカボックス３１、３２と対応する位置において、上下のキャビネット２１、２２の部分に操作釦等を配することができる。図１０はこのような構成の一例を示しており、例えば左側のスピーカボックス３１の上部であって上側のキャビネット２１の部分に、挿通孔４５を形成し、このような挿通孔４５に操作釦４６を装着し、スイッチ４７を押圧するようにしている。ここでスイッチ４７は回路基板４８上にマウントされるとともに、回路基板４８が取付け用ボス４９によって上側のキャビネット２１の内側に固定されている。
【００３１】
このような操作釦４６をスピーカボックス３１の外側において挿通孔４５に取付けるようにしても、スピーカボックス３１がキャビネット２１から独立しているために、挿通孔４５による音の漏れの問題を回避することが可能になる。すなわち左右のスピーカボックス３１、３２と対応するキャビネット２１、２２の何れの位置においても、挿通孔４５を形成して操作釦４６を取付けることが可能になり、これによって操作釦４６の配置の設計の自由度が向上する。
【００３２】
本実施の形態に係る音響機器によると、上下のキャビネット２１、２２とは独立のスピーカボックス３１、３２をフロントキャビネット２０に組合せるようにしているために、キャビネット２０、２１、２２にひけが生ずることがなく、またスピーカボックス３１、３２として十分な厚みのものを用いることができる。またスピーカボックス３１、３２に補助リブを追加して強度を高めることが可能になる。またスピーカボックス３１、３２として、キャビネット２０、２１、２２とは異なる材料を選択できるために、体裁を気にするキャビネット２０、２１、２２よりも安価であって、音質的に有利な硬度の高い材料を用いることができ、あるいはまた耐熱性の高い材料を選択できる。
【００３３】
また図９に示すような外筒５２をスピーカボックス３１、３２に一体に連設し、フロントキャビネット２０側のダクト３３と組合せて折返し型のダクトとする場合においても、上下のキャビネット２１、２２によって外筒５２を形成する場合よりも、自由度が増大する。またスピーカを３ドライブ型にする場合における低音用ウーハが配される中間部分の容積を容易に確保できるようになる。またスピーカボックス３１、３２にトランス４１や回路基板４２等の他の部品を取付けたり、線材を固定保持する機構を付加したりすることができ、シャーシ的な使い方が可能になる。
【００３４】
またキャビネット２０、２１、２２のスピーカボックス３１、３２の中間部分に熱源を配置する場合における熱の放射のための開口をキャビネット２０、２１、２２に形成する際に、スピーカボックス３１、３２が独立した密閉構造を保持しているために、このような放熱穴の設置の設計の自由度が増大する。またスピーカボックス３１、３２の周囲において、キャビネット２１、２２に自由に挿通孔４５を形成できるために、操作釦４６の配置の自由度が増大する。さらにはキャビネット２１、２２の内側における電池ボックスの配置の自由度も増大することになる。
【００３５】
以上本願発明を図示の実施の形態によって説明したが、本願発明は上記実施の形態によって限定されることなく、本願発明の技術的思想の範囲内において各種の変更が可能である。例えば上記実施の形態におけるスピーカボックス３１、３２の形状や、このようなスピーカボックス３１、３２内に配される部品の種類等については、音響機器の構成によって各種の設計変更が可能である。
【産業上の利用可能性】
【００３６】
本願発明は、いわゆるラジカセと称される音響機器に利用できる。
【図面の簡単な説明】
【００３７】
【図１】従来の音響機器のキャビネットの縦断面図である。
【図２】隔壁を設けることによるひけの発生を示す要部拡大断面図である。
【図３】条溝を形成してひけを見えなくした構成を示す拡大断面図である。
【図４】一実施の形態の音響機器の外観斜視図である。
【図５】音響機器のとくにキャビネットの部分の分解斜視図である。
【図６】背面側から見た同音響機器のキャビネットの分解斜視図である。
【図７】キャビネットの横断面図である。
【図８】同キャビネットのスピーカボックスの部分の縦断面図である。
【図９】変形例に係るスピーカボックスを示す要部横断面図である。
【図１０】スピーカボックスの外側に配された操作釦の取付けを示す要部拡大断面図である。
【符号の説明】
【００３８】
１…スピーカ（左）、２…スピーカ（右）、３…上側キャビネット、４…下側キャビネット、５、６…隔壁、７…スピーカボックス（左）、８…スピーカボックス（右）、９…ひけ、１０…条溝（肉盗み）、１３…操作釦、１４…貫通孔、１５…回路基板、１６…スイッチ、２０…フロントキャビネット、２１…上側キャビネット、２２…下側キャビネット、２５…円形の開口（左）、２６…円形の開口（右）、２７…スピーカ（左）、２８…スピーカ（右）、３１、３２…スピーカボックス、３３…ダクト、３４…矩形の開口部、３５…フロントパネル、３６…モールドシャーシ、３７…回路基板、３８…ディスクプレーヤ、４１…トランス、４２…回路基板（チューナ基板）、４５…挿通孔、４６…操作釦、４７…スイッチ、４８…回路基板、４９…取付け用ボス、５２…外筒
【図１】
2008177647.tif 000003
【図２】
2008177647.tif 000004
【図３】
2008177647.tif 000005
【図４】
2008177647.tif 000006
【図５】
2008177647.tif 000007
【図６】
2008177647.tif 000008
【図７】
2008177647.tif 000009
【図８】
2008177647.tif 000010
【図９】
2008177647.tif 000011
【図１０】
2008177647.tif 000012